【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
通信インターフェースと、
ユーザに関連付けられ、前記ユーザのセンサデバイスから入手可能である利用可能な入力タイプを指定する、ユーザプロフィールであって、前記利用可能な入力タイプは前記ユーザの生理学的パラメータである、ユーザプロフィール、並びに
複数のサービスレコードのうち第１のサービスレコードが、サービス、入力タイプ、前記サービスの出力タイプ、及び前記サービスを提供するサーバに関連付けられており、前記出力タイプは別の生理学的パラメータである、当該複数のサービスレコード
を記憶したメモリと、
前記通信インターフェース及び前記メモリと通信状態にあるプロセッサであって、
前記通信インターフェースを介して前記ユーザから、前記複数のサービスレコードのうち前記第１のサービスレコードに関連付けられた前記サービスを前記ユーザに対して追加する要求を受け取ることであって、前記サービスレコードは、前記ユーザプロフィールによって指定される前記利用可能な入力タイプが、前記サービスを提供するための入力として前記サーバによって受理されることを示す、ことと、
前記サービスレコードに関連付けられた前記サーバへの、前記ユーザの前記センサデバイスによって集められたデータと、前記サービスレコードによって識別される前記入力タイプとの送信を遂行することと、
追加的な入力タイプの提供元となる追加的なセンサデバイスとして、前記サービスを前記ユーザプロフィールに追加することであって、前記追加的な入力タイプは前記サービスレコードによって識別される前記出力タイプである、当該追加することと、
を行うプロセッサとを備える、サービスブローカーデバイス。
【請求項２】
前記サービスレコードによって識別される前記サーバへの、前記ユーザの前記センサデバイスによって集められたデータと、前記サービスレコードによって識別される前記入力タイプとの送信を遂行する際に、前記プロセッサは、
入力装置に構成情報を送信し、前記入力装置は、前記ユーザの前記センサデバイスと、前記センサデバイスから前記データを受け取る報告フレームワークデバイスとのうち少なくとも１つであり、
前記構成情報は、前記サービスレコードによって識別される前記サーバに直接前記データを送信するように前記入力装置を構成する、請求項１に記載のサービスブローカーデバイス。
【請求項３】
前記サービスレコードによって識別される前記サーバへの、前記ユーザの前記センサデバイスによって集められたデータと、前記サービスレコードによって識別される前記入力タイプとの送信を遂行する際に、前記プロセッサは、
前記サービスレコードによって識別される前記サーバに資格証明情報を送信し、前記資格証明情報は、前記サーバが、前記ユーザの前記センサデバイスと、前記センサデバイスに関連付けられた報告フレームワークデバイスとのうち少なくとも１つに前記データを要求することを可能にする、請求項１に記載のサービスブローカーデバイス。
【請求項４】
前記サービスレコードによって識別される前記サーバへの、前記ユーザの前記センサデバイスによって集められたデータと、前記サービスレコードによって識別される前記入力タイプとの送信を遂行する際に、前記プロセッサは、
前記サービスレコードによって識別される前記サーバに前記データを転送すべき旨の指示を前記ユーザと関連付けて記録し、
前記ユーザの前記センサデバイスと、前記センサデバイスに関連付けられた報告フレームワークデバイスとのうち少なくとも１つから前記データを受け取り、
記録された前記指示に基づいて、受け取った前記データを前記サーバに送信する、請求項１に記載のサービスブローカーデバイス。
【請求項５】
前記サービスレコードは、送信の前に行われるべき入力処理アクションに関連付けられており、
前記プロセッサはさらに、受け取った前記データを前記サーバに送信する前に、前記入力処理アクションに従って前記データを修正する、請求項４に記載のサービスブローカーデバイス。
【請求項６】
前記プロセッサはさらに、前記サービスを追加する前記要求に応答して、前記ユーザと前記サービスの提供者とのうち少なくとも１つに対する課金を遂行する、請求項１に記載のサービスブローカーデバイス。
【請求項７】
前記プロセッサはさらに、
前記ユーザに利用可能なサービスのセットを、ユーザから入手可能であるとユーザプロフィールで示される、前記利用可能なサービスのそれぞれの入力タイプに基づいて識別し、
前記利用可能なサービスのセットを、前記ユーザに対して追加する個々のサービスの選択のために前記ユーザに提示する、請求項１に記載のサービスブローカーデバイス。
【請求項８】
前記プロセッサはさらに、
前記ユーザから第１の追加的なサービスの選択を受け取ることであって、前記第１の追加的なサービスは、前記複数のサービスレコードのうち追加的なサービスレコードに関連付けられている、ことと、
前記追加的なサービスレコードによって識別される追加的な入力タイプが前記ユーザから入手可能であると識別されないことを、前記ユーザプロフィールに基づいて判定することと、
前記追加的な入力タイプを提供するであろう少なくとも１つの提案品を前記ユーザに提示することと
を行う、請求項１に記載のサービスブローカーデバイス。
【請求項９】
提案品は、前記追加的な入力タイプを出力として提供する第２の追加的なサービスを含んでいる、請求項１に記載のサービスブローカーデバイス。
【請求項１０】
ウェアラブルデバイスを介して提供されるサービスを拡張するためにサービスブローカーデバイスのプロセッサによって行われる方法であって、前記方法は、前記プロセッサが、
ユーザのセンサデバイスから入手可能である利用可能な入力タイプの識別を前記ユーザから受け取るステップであって、前記利用可能な入力タイプは前記ユーザの生理学的パラメータである、ステップと、
サービスを追加する要求を前記ユーザから受け取るステップであって、前記サービスは、前記利用可能な入力タイプを入力として受理することが知られており、出力タイプを有する出力を提供し、前記出力タイプは別の生理学的パラメータである、ステップと、
前記サービスを提供するサーバへの、前記ユーザの前記センサデバイスによって集められたデータと、前記利用可能な入力タイプとの送信を遂行するステップと、
追加的な入力タイプの提供元となる追加的なセンサデバイスとして、前記サービスをユーザプロフィールに追加するステップであって、前記追加的な入力タイプは前記出力タイプである、ステップと、
を含む、方法。
【請求項１１】
サービスレコードによって識別される前記サーバへの、前記ユーザの前記センサデバイスによって集められたデータと、前記サービスレコードによって識別される前記入力タイプとの送信を遂行する前記ステップは、
入力装置に構成情報を送信するステップであって、前記入力装置は、前記ユーザの前記センサデバイスと、前記センサデバイスから前記データを受け取る報告フレームワークデバイスとのうち少なくとも１つである、ステップを含み、
前記構成情報は、前記サービスレコードによって識別される前記サーバに直接前記データを送信するように前記入力装置を構成する、請求項１０に記載の方法。
【請求項１２】
サービスレコードによって識別される前記サーバへの、前記ユーザの前記センサデバイスによって集められたデータと、前記サービスレコードによって識別される前記入力タイプとの送信を遂行する前記ステップは、
前記サービスレコードによって識別される前記サーバに資格証明情報を送信するステップを含み、前記資格証明情報は、前記サーバが、前記ユーザの前記センサデバイスと、前記センサデバイスに関連付けられた報告フレームワークデバイスとのうち少なくとも１つに前記データを要求することを可能にする、請求項１０に記載の方法。
【請求項１３】
前記サービスレコードによって識別される前記サーバへの、前記ユーザの前記センサデバイスによって集められたデータと、前記サービスレコードによって識別される前記入力タイプとの送信を遂行する前記ステップは、
前記サービスレコードによって識別される前記サーバに前記データを転送すべき旨の指示を前記ユーザと関連付けて記録するステップと、
前記ユーザの前記センサデバイスと、前記センサデバイスに関連付けられた報告フレームワークデバイスとのうち少なくとも１つから前記データを受け取るステップと、
記録された前記指示に基づいて、受け取った前記データを前記サーバに送信するステップとを含む、請求項１０に記載の方法。